(57)【要約】【課題】色割れ現象の発生を抑制することが可能な液晶ディスプレイ用バックライト装置を提供する。【解決手段】この液晶ディスプレイ用バックライト装置では、各１フィールド期間のうちの一定の発光期間ではＬＥＤ３〜５の各々を点滅させ、残りの消灯期間では全ＬＥＤ３〜５を消灯させ、輝度センサ７〜９の検出値が目標値に一致するように、発光期間におけるＬＥＤ３〜５の各々の点灯時間の積算値を制御する。したがって、あるＬＥＤが点灯しているのに他のＬＥＤが消灯している時間を短縮することができ、色割れ現象の発生を抑制できる。【選択図】図４
2008191248.tif 000002
【特許請求の範囲】
【請求項１】
液晶パネルに透過光を与える液晶ディスプレイ用バックライト装置であって、
互いに異なる色の光を出射する複数の発光源を含むバックライト光源と、
各発光源の輝度を検出する輝度センサと、
各１フィールド期間のうちの予め定められた第１の期間は各発光源を点滅させ、第２の期間は前記複数の発光源を消灯させ、前記輝度センサによって検出された各発光源の輝度がその発光源に対して予め定められた目標値に一致するように、前記第１の期間における各発光源の点灯時間の積算値を制御する制御部とを備えた、液晶ディスプレイ用バックライト装置。
【請求項２】
液晶パネルに透過光を与える液晶ディスプレイ用バックライト装置であって、
互いに異なる色の光を出射する複数の発光源を含むバックライト光源と、
各発光源の輝度を検出する輝度センサと、
各１フィールド期間のうちの第１の期間は前記複数の発光源のうちの必要点灯時間が最も長い発光源を点灯させ続けるとともに他の各発光源を点滅させ、第２の期間は前記複数の発光源を消灯させ、前記輝度センサによって検出された各発光源の輝度がその発光源に対して予め定められた目標値に一致するように、各発光源の点灯時間の積算値を制御する制御部とを備えた、液晶ディスプレイ用バックライト装置。
【請求項３】
前記制御部は、前記第１の期間に点滅させる複数の発光源を互いに異なるタイミングで点灯させる、請求項２に記載の液晶ディスプレイ用バックライト装置。
【請求項４】
前記複数の発光源は、それぞれ赤色、青色、緑色の光を出射する、請求項１から請求項３までのいずれかに記載の液晶ディスプレイ用バックライト装置。
【請求項５】
各発光源は発光ダイオードを含む、請求項１から請求項４までのいずれかに記載の液晶ディスプレイ用バックライト装置。
【発明の詳細な説明】
【技術分野】
【０００１】
この発明は液晶ディスプレイ用バックライト装置に関し、特に、液晶パネルに透過光を与える液晶ディスプレイ用バックライト装置に関する。
【背景技術】
【０００２】
近年、画像表示用のディスプレイとして、従来の陰極線管（ＣＲＴ：Cathode Ray Tube）を用いたディスプレイの他に、液晶ディスプレイ（ＬＣＤ：Liquid Crystal Display）が普及している。液晶ディスプレイは、透過型の液晶パネルの背面側にバックライト光源を設置し、バックライト光源から出射された光を液晶パネルに透過させて画像表示を行なうものである。
【０００３】
また、画像表示方式の一つとして、インターレース方式が知られている。インターレース方式とは、１画像（１フレーム）の表示を複数のフィールド期間に分けて行なう方式である。日本のテレビジョン放送で使用されているＮＴＳＣ（National Television Standards Committee）方式では１画像の半分の情報が１フィールド期間で更新される。
【０００４】
ここで、ＬＣＤでは、ＣＲＴを用いたディスプレイとは異なり、表示される画像の輝度を１フィールド期間に亘ってほぼ一定に保つホールド型駆動方式が採用されている。この方式のディスプレイでは、網膜残像の影響により、尾引き、ボケ、ぼやけ、にじみ等、動画の画質劣化が発生する。つまり、この方式のディスプレイでは、１フィールド期間中、常に画像が表示され続けるため、観察者の網膜上で異なるフィールド期間の画像が重ねられる。このため、観察者が尾引き、すなわち輪郭のボケおよびなまりを感じてしまう。
【０００５】
ホールド型駆動方式のディスプレイの尾引きを改善する手段としては、いわゆるインパルス型点灯方式がある。インパルス型点灯方式とは、図９（ａ）（ｂ）に示すように、各１フィールド期間に、バックライト光源を点灯させる発光期間と、バックライト光源を消灯させておく消灯期間とを設けるものである。垂直同期信号は、１フィールド期間Ｔ毎にパルス的に「Ｌ」レベルになる信号である。光源は、垂直同期信号の立下りエッジに応答して消灯（ＯＦＦ）され、所定時間後に点灯（ＯＮ）される。これにより、網膜残像の影響が軽減され、ホールド型駆動方式のディスプレイの尾引きは改善される。
【０００６】
このようなインパルス型点灯方式を実現するには、上述のように、バックライト光源を短期間で点滅させる必要がある。短期間で点滅させ易い光源としては、ＬＥＤ（Light Emitting Diode：発光ダイオード）がある。現状ではバックライト光源としてＣＣＦＬ（Cold Cathode Flurescent Lamp：冷陰極蛍光ランプ）が主に用いられているが、ＬＥＤの応答速度はＣＣＦＬの応答速度よりも速い。また、Ｒ（赤色）、Ｇ（緑色）、Ｂ（青色）のＬＥＤを用いることで、ＣＣＦＬに比較して、非常に良い色再現性を得ることができる。このため、バックライト光源としてＲ，Ｇ，ＢのＬＥＤを用いて、インパルス駆動を行う技術が研究されている。
【０００７】
特許文献１では、バックライト光源のＲ，Ｇ，ＢのＬＥＤを同時に点灯し、Ｒ，Ｇ，Ｂを光学的に混色させて白色を実現し、さらに、それらのＬＥＤをインパルス点灯方式で駆動とすることでホールド型駆動方式のディスプレイの尾引きを改善している。また、Ｒ，Ｇ，ＢのＬＥＤの輝度のばらつきにより生じるホワイトバランスのずれを無くすため、各色のＬＥＤの輝度を輝度センサで検出し、各色のＬＥＤの輝度を制御している。
【特許文献１】特開２００５−２０８４８６号公報
【発明の開示】
【発明が解決しようとする課題】
【０００８】
特許文献１では、ＬＥＤの輝度を制御する具体的方法は開示されていないが、ＬＥＤでは電流量と輝度は比例しないので、一般に、ＬＥＤの輝度の制御は点灯時間を変化させることにより行なわれる。
【０００９】
図１０（ａ）〜（ｄ）は、ＬＥＤの点灯時間を制御してＬＥＤの輝度を制御する方法を示すタイムチャートである。図１０（ａ）は垂直同期信号の波形を示し、図１０（ｂ）〜（ｄ）はそれぞれＲ，Ｇ，ＢのＬＥＤの動作を示している。各ＬＥＤは、インパルス点灯方式で駆動され、１フィールド期間内に消灯期間と点灯期間を有している。ここで、赤色ＬＥＤ、緑色ＬＥＤ、青色ＬＥＤの必要点灯時間をα，β，γで表わすと、α＞β＞γの関係を満たすように各ＬＥＤの点灯時間を設定することで、所望のホワイトバランスを得ることができる。
【００１０】
しかし、赤色ＬＥＤの点灯期間と他のＬＥＤとの点灯期間との時間差Δｔが大きくなると、光学的な混色がうまく行かず、特定の色が認識される、いわゆる色割れ（カラーブレーキング）現象が生じてしまう。この色割れ現象は、観察者によって認識できる度合いは異なるが、一旦、色割れが認識されると非常に不快なものとなる。
【００１１】
それゆえに、この発明の主たる目的は、色割れ現象の発生を抑制することが可能な液晶ディスプレイ用バックライト装置を提供することである。
【課題を解決するための手段】
【００１２】
この発明に係る液晶ディスプレイ用バックライト装置は、液晶パネルに透過光を与える液晶ディスプレイ用バックライト装置であって、互いに異なる色の光を出射する複数の発光源を含むバックライト光源と、各発光源の輝度を検出する輝度センサと、各１フィールド期間のうちの予め定められた第１の期間は各発光源を点滅させ、第２の期間は複数の発光源を消灯させ、輝度センサによって検出された各発光源の輝度がその発光源に対して予め定められた目標値に一致するように、第１の期間における各発光源の点灯時間の積算値を制御する制御部とを備えたものである。
【００１３】
また、この発明に係る他の液晶ディスプレイ用バックライト装置は、液晶パネルに透過光を与える液晶ディスプレイ用バックライト装置であって、互いに異なる色の光を出射する複数の発光源を含むバックライト光源と、各発光源の輝度を検出する輝度センサと、各１フィールド期間のうちの第１の期間は複数の発光源のうちの必要点灯時間が最も長い発光源を点灯させ続けるとともに他の各発光源を点滅させ、第２の期間は複数の発光源を消灯させ、輝度センサによって検出された各発光源の輝度がその発光源に対して予め定められた目標値に一致するように、各発光源の点灯時間の積算値を制御する制御部とを備えたものである。
【００１４】
好ましくは、制御部は、第１の期間に点滅させる複数の発光源を互いに異なるタイミングで点灯させる。
【００１５】
また好ましくは、複数の発光源は、それぞれ赤色、青色、緑色の光を出射する。
また好ましくは、各発光源は発光ダイオードを含む。
【発明の効果】
【００１６】
この発明に係る液晶ディスプレイ用バックライト装置では、各１フィールド期間のうちの予め定められた第１の期間は各発光源を点滅させ、第２の期間は複数の発光源を消灯させ、輝度センサによって検出された各発光源の輝度がその発光源に対して予め定められた目標値に一致するように、第１の期間における各発光源の点灯時間の積算値を制御する。したがって、ある発光源が点灯しているのに他の発光源が消灯している時間を短縮することができ、色割れ現象の発生を抑制することができる。
【００１７】
また、この発明に係る他の液晶ディスプレイ用バックライト装置では、各１フィールド期間のうちの第１の期間は複数の発光源のうちの必要点灯時間が最も長い発光源を点灯させ続けるとともに他の各発光源を点滅させ、第２の期間は複数の発光源を消灯させ、輝度センサによって検出された各発光源の輝度がその発光源に対して予め定められた目標値に一致するように、各発光源の点灯時間の積算値を制御する。したがって、ある発光源が点灯しているのに他の発光源が消灯している時間を短縮することができ、色割れ現象の発生を抑制することができる。
【発明を実施するための最良の形態】
【００１８】
［実施の形態１］
図１は、この発明の実施の形態１による液晶ディスプレイ用バックライト装置１の要部を示す図であり、液晶ディスプレイから液晶パネルと光学シート類を外した状態を示している。バックライト装置１は、液晶パネルの直下（背面）に配置され、液晶パネルに透過光を与える、いわゆる直下型のバックライト装置である。
【００１９】
バックライト装置１は、マトリックス状に配置された複数のＬＥＤ光源２を備える。複数のＬＥＤ光源２は、バックライト光源を構成する。各ＬＥＤ光源２は、赤色ＬＥＤ３、緑色ＬＥＤ４、および青色ＬＥＤ５を含む。ＬＥＤ３〜５は、それぞれＲ，Ｇ，Ｂの光を出射する。複数のＬＥＤ光源２の隙間の所定の位置にセンサ部６が設けられている。センサ部６は、液晶パネルからの反射光を受光し、ＬＥＤ３〜５の各々の輝度を検出する。
【００２０】
なお、図１では、ＬＥＤ光源２が液晶パネルの直下に配置される直下型のバックライト装置１に本願発明が適用された例を示しているが、これに限るものではなく、本願発明は、ＬＥＤ光源２を液晶パネルの上下端、あるいは左右端に配置し、ＬＥＤ光源２の出射光を導光板などにより画面全体に広がらせる、いわゆるサイドエッジ型のバックライト装置にも適用可能である。
【００２１】
図２は、このバックライト装置１の構成を示すブロック図である。図２において、センサ部６は輝度センサ７〜９を含む。輝度センサ７〜９の各々は、フォトセンサと、その上に形成されたカラーフィルタとを含む。輝度センサ７〜９は、それぞれＬＥＤ３〜５の輝度を検出し、検出値を示す信号を制御部１０に出力する。
【００２２】
制御部１０は、バックライト装置１全体の制御を行なうものであり、ＣＰＵあるいはＤＳＰなどから構成される。制御部１０は、垂直同期信号と輝度センサ７〜９の出力信号とに基づいて、ＬＥＤ３〜５の各々の輝度が目標輝度に一致するように、ドライバ部１１を介してＬＥＤ３〜５の各々の点灯時間を制御する。ドライバ部１１は、それぞれ制御部１０の出力信号に応答してＬＥＤ３〜５を制御するドライバ１２〜１４を含む。
【００２３】
なお、センサ部６は、説明の便宜上、３つのセンサ７〜９に分割されているが、３つのセンサ７〜９は同一パッケージに収容されていてもよい。また、同様に、カラーフィルタを設けずにフォトセンサのみを使用し、ＬＥＤ３〜５の発光時間のずれ等を利用して、ＬＥＤ３〜５の各々の輝度を検出してもよい。
【００２４】
図３は、制御部１の構成を示すブロック図である。図３において、制御部１は、メモリ部２１〜２３、差動部２４〜２６、ゲイン部２７〜２９、積分部３０〜３２、およびＰＷＭ（Pulse Width Modulation：パルス幅変調）値計算部３３〜３５を含む。メモリ部２１〜２３には、それぞれＬＥＤ３〜５の目標輝度が予め格納されている。センサ７〜９で検出されたＬＥＤ３〜５の輝度が、それぞれメモリ部２１〜２３に格納された目標輝度となるように、制御部１０はフィードバック制御を行なう。
【００２５】
差動部２４〜２６は、それぞれ、メモリ部２１〜２３に格納されている目標輝度と、センサ７〜９で検出された輝度との誤差を演算する。ゲイン部２７〜２９は、それぞれ、差動部２４〜２６の出力を所定ゲイン倍する。このゲイン部２７〜２９によって、フィードバック制御系の制御帯域が設定される。積分部３０〜３２は、それぞれゲイン部２７〜２９で所定ゲイン倍されたＲ，Ｇ，Ｂの輝度誤差を積分し、この積分値に基づいてＬＥＤ３〜５の輝度を制御する。そして、この積分値が一定の値に収束するように、フィードバック制御されることで、各ＬＥＤの輝度は目標輝度に一致する。
【００２６】
ＰＷＭ値計算部３３〜３５は、それぞれ積分部３０〜３２の出力である積分値をパルス幅に変換する。ＬＥＤ３〜５は、それぞれＰＷＭ値計算部３３〜３５で計算されたＰＷＭ値に応じて駆動される。また、ＰＷＭ値計算部３３〜３５には垂直同期信号が入力されており、垂直同期信号に応じてＰＷＭ値が更新される。つまり、各フィールド毎にＰＷＭ値が更新され、常に、各色のＬＥＤの輝度は目標輝度に一致するようにＬＥＤが駆動される。
【００２７】
図４（ａ）〜（ｄ）は、バックライト装置１の動作を示すタイムチャートである。垂直同期信号は、図４（ａ）に示すように、１フィールド期間毎にパルス的に「Ｌ」レベルになる。ＮＴＳＣ方式の場合、垂直同期信号の周波数は６０Ｈｚであり、１フィールド期間は１６．７ｍｓｅｃである。図４（ｂ）〜（ｄ）は、それぞれ赤色ＬＥＤ３、緑色ＬＥＤ４、青色ＬＥＤ５の発光状態を示している。図中のＯＮ期間にＬＥＤに電流が供給されてＬＥＤが点灯し、図中のＯＦＦ期間にＬＥＤへの電流が遮断されてＬＥＤが消灯する。
【００２８】
１フィールド期間内に発光期間と消灯期間を設けており、発光期間の間にＬＥＤ３〜５の各々のＰＷＭ駆動が行なわれてＬＥＤ３〜５の各々が点滅する。たとえば、１フィールド期間中の発光期間を４ｍｓｅｃと設定し、さらに、所望のホワイトバランスを得るには、ＬＥＤ３〜５をそれぞれα，β，γ（ｍｓｅｃ）だけ点灯する必要があるとすると、制御部１０は、この発光期間（４ｍｓｅｃ）においてＬＥＤ３〜５の点灯時間の積算値がそれぞれα，β，γ（ｍｓｅｃ）となるように、ＬＥＤ３〜５の各々の点灯パルス幅を制御する。また、制御部１は、各発光期間において、ＬＥＤ３〜５の各々を複数回に分けて点灯させる。これにより、ＬＥＤ３〜５の各々は、発光期間中において均一に発光する。
【００２９】
なお、図４（ａ）〜（ｄ）において、各フィールド期間内の後半に発光期間が来るようにしているが、これは、フィールド期間の前半に液晶パネルの画像が切り替わることを想定していることによる。つまり、フィールド期間の後半に発光期間を設けることで、液晶パネルの画像が完全に切り替わった後に、ＬＥＤ３〜５を発光させることを意味している。
【００３０】
ここで、ＬＥＤ３〜５の点灯時間がそれぞれα，β，γ（ｍｓｅｃ）となるように制御するため、発光期間におけるＬＥＤ３〜５の点灯時間の積算値は、図１０（ａ）〜（ｄ）で示した従来例と同様に各色で異なるが、点灯１回当たりのＬＥＤ３〜５の点灯時間の差が短くなる。たとえば図４（ｂ）〜（ｄ）においては、発光期間中にＬＥＤ３〜５を４回点滅させているため、点灯１回当たりの点灯時間のずれは、従来例においてはΔｔであったものが、この実施の形態１においてはΔｔ／４となる。一般的に、点灯１回当たりのＬＥＤ３〜５の点灯時間の差が短いほど色割れが認識され難くなるので、この実施の形態１の点灯方法を用いれることにより、観察者が感じる色割れは大きく低減される。
【００３１】
以上のように、この実施の形態１によれば、１フィールド期間において発光期間と消灯期間を設けたことよりホールド型駆動のディスプレイ固有の尾引きを改善することができ、かつ、発光期間においてＬＥＤ３〜５の各々を複数回点滅させることにより色割れを観察され難くすることができる。
【００３２】
[実施の形態２]
図５は、この発明の実施の形態２による液晶ディスプレイ用バックライト装置の制御部４０の構成を示すブロック図であって、図３と対比される図である。図５を参照して、この制御部４０が図３の制御部１０と異なる点は、ＰＷＭ値計算部３３〜３５がＰＷＭ計算部４１と置換されている点である。
【００３３】
ＰＷＭ値計算部４１は、垂直同期信号および積分部３０〜３２の出力信号を受け、垂直同期信号がパルス的に「Ｌ」レベルになる度に、積分部３０〜３２の出力信号に基づいてＬＥＤ３〜５の各々の必要点灯時間を算出する。そして、ＬＥＤ３〜５のうちの最も点灯時間を長くする必要のあるＬＥＤを選択し、そのＬＥＤの必要点灯時間を１フィールド期間における発光期間とする。他の各ＬＥＤの必要点灯時間は設定された発光期間よりも短いので、設定した発光期間内で他の各ＬＥＤを点滅させる。すなわち、最も長く点灯させる必要のあるＬＥＤを１フィールド期間内の発光期間中で点灯させ続け、他の各ＬＥＤをその発光期間中に点滅させることにより、所望のホワイトバランスを得る。
【００３４】
図６は、ＰＷＭ値計算部４１の動作を示すフローチャートである。図６において、ＰＷＭ値計算部４１は、垂直同期信号が活性化レベルの「Ｌ」レベルになるまで待機し（ステップＳ１）、垂直同期信号が活性化レベルになると、積分部３０〜３２の出力信号を取り込み、ＬＥＤ３〜５の各々の必要点灯時間を計算する（ステップＳ２）。次に、その計算結果に基づいて必要点灯時間が最も長いＬＥＤを選択し（ステップＳ３）、その最も長い点灯時間を該当するフィールドの発光期間として設定する（ステップＳ４）。次いで、ステップＳ４で設定した発光期間に対する、他の各ＬＥＤの必要点灯時間の比率を計算し（ステップＳ５）、計算した比率となるように、発光期間内において他の各ＬＥＤをＰＷＭ駆動させて複数回パルス的に発光させ、最も長く点灯させる必要のあるＬＥＤは、発光期間中、発光させ続ける（ステップＳ６）。発光期間が終了した時点で全ＬＥＤ３〜５を消灯させ、ステップＳ１に戻る（ステップＳ７）。このような手順で、ＰＷＭ値計算部４１はＬＥＤ３〜５の各々の点灯時間を計算し、ＬＥＤ３〜５の各々を駆動する。
【００３５】
図７（ａ）〜（ｄ）は、このバックライト装置の動作を示すタイムチャートである。図７（ａ）は垂直同期信号の波形を示し、図７（ｂ）〜（ｄ）はそれぞれ赤色ＬＥＤ３、緑色ＬＥＤ４、青色ＬＥＤ５の１フィールド期間における発光状態を示している。ここでは、赤色ＬＥＤ３の必要点灯時間が最も長いものとし、ＬＥＤ３〜５の必要点灯時間をそれぞれα，β，γ（ｍｓｅｃ）とする。したがって、α＞β，γである。また、当然ながら、αは１フィールド期間Ｔ（ＮＴＳＣ方式では１６．７ｍｓｅｃ）以下である。
【００３６】
図７（ａ）〜（ｄ）において、垂直同期信号が活性化レベルの「Ｌ」レベルに立ち下げられた時点で、所望のホワイトバランスを得るために必要なＬＥＤ３〜５の各々の点灯時間が計算される。この場合、赤色ＬＥＤ３の点灯時間αが最大であるため、該当するフィールド期間内のバックライト装置の発光期間をαと設定する。そして、他の２色のＬＥＤ４，５の各々の相対的な点灯時間を計算すると、緑色ＬＥＤ４の必要点灯時間はβであるので、発光期間αにおける点灯時間の比率はβ／αとなる。同様に、青色ＬＥＤ５の点灯時間比率はγ／αとなる。そして、液晶パネルの画像が完全に切り替わるまでの期間を消灯期間とするため、垂直同期信号が活性化レベルになってから一定期間の経過後にＬＥＤ３〜５の点灯を開始する。
【００３７】
ここで、赤色ＬＥＤ３はαの期間だけ点灯を続けるように駆動される。緑色ＬＥＤ４は、点灯期間αのうちのβ／αの期間だけ点灯させればよい。図７（ｃ）では、発光期間の間に２回、緑色ＬＥＤ４をパルス的に点灯させる例を示している。このため、緑色ＬＥＤ４は最初にβ／２の期間点灯し、（α−β）／２の期間消灯した後、再び、β／２の期間点灯し、（α−β）／２の期間消灯するように駆動される。これにより、緑色ＬＥＤ４は発光期間αのうちのβ／αの期間、点灯していたことになる。同様に、青色ＬＥＤ５は最初にγ／２の期間点灯し、（α−γ）／２の期間消灯した後、再び、γ／２の期間点灯し、（α−γ）／２の期間消灯するように駆動され、発光期間αのうちのβ／αの期間、点灯していたことになる。このようにして、ＬＥＤ３〜５の点灯時間はそれぞれα，β，γとなり、所望のホワイトバランスが得られる。
【００３８】
このようにＬＥＤ３〜５を駆動することで、インパルス型点灯方式が可能となる。また、発光期間の間にＬＥＤ４，５の各々を複数回点滅させることにより、１回当たりの発光期間の差は小さくなるため、観察者が色割れを感じ難くなる。１フィールド期間における発光期間は、最も長い時間発光する必要のあるＬＥＤの発光時間に等しいものとするために、所望のホワイトバランスを実現する上では、最短の発光期間とすることができる。つまり、１フィールドにおける発光期間が最短（消灯期間が最長）のインパルス型点灯を行なっていることに相当する。このため、ホールド型ディスプレイ駆動の尾引きを最も有効に改善すること可能な駆動方法を実現できる。
【００３９】
なお、本実施の形態２では、緑色ＬＥＤ４と青色ＬＥＤ５の発光期間における点滅回数を２回としたが、点滅は２回に限定されるものではなく、点滅回数が多いほど色割れ現象は認識し難くなる。
【００４０】
[実施の形態３]
図８は、この発明の実施の形態３による液晶ディスプレイ用バックライト装置の動作を示すタイムチャートであって、図７と対比される図である。バックライト装置の構成は、実施の形態２と同じである。
【００４１】
ここでは、説明の便宜上、必要点灯時間が赤色ＬＥＤ３、緑色ＬＥＤ４、青色ＬＥＤ５の順で長いものとする。つまり、ＬＥＤ３〜５の必要点灯時間α，β，γ（ｍｓｅｃ）は、α＞β＞γの関係にある。
【００４２】
図８（ａ）〜（ｄ）においては、上述の通り、赤色ＬＥＤ３の必要点灯時間αが最長であるので、αを該当するフィールド期間における発光期間と設定している。そして、緑色ＬＥＤ４と青色ＬＥＤ５は、この発光期間において複数回点滅されるが、緑色ＬＥＤ４と青色ＬＥＤ５とが点灯を開始するタイミングをずらすことを特徴とする。
【００４３】
具体的には、発光期間の開始時点（時刻ｔ１）において、赤色ＬＥＤ３と緑色ＬＥＤ４の点灯が開始される。緑色ＬＥＤ４はβ／２の期間点灯し、（α−β）／２の期間消灯した後、再び、β／２の期間点灯する。一方、青色ＬＥＤ５は時刻ｔ１においては点灯を開始せず、時刻ｔ１から（α−β）／２後の時刻ｔ２で点灯を開始し、γ／２の期間点灯し、（α−γ）／２の期間消灯した後、再びγ／２の期間点灯する。
【００４４】
なお、本実施の形態３では、青色ＬＥＤ５の点灯開始時刻をずらしたが、これは、β＞γの関係があることによる。つまり、最も点灯時間が短い色のＬＥＤの点灯開始時刻をずらす。これにより、ＬＥＤ３〜５の発光時間がそれぞれα，β，γとなり、所望のホワイトバランスが維持されることになる。
【００４５】
また、このように、最も短い点灯時間のＬＥＤの点灯開始時刻をずらすことで、赤色ＬＥＤ３以外のＬＥＤ４，５が同時に消灯している期間、つまり、赤色ＬＥＤ３だけが点灯している期間を短くすることができる。このため、色割れ現象を一層認識し難くすることができる。
【００４６】
また、この実施の形態３においても、緑色ＬＥＤ４と青色ＬＥＤ５の発光期間における点滅回数を２回としたが、点滅は２回に限定されるものではなく、点滅回数が多いほど色割れ現象は認識し難くなる。
【００４７】
今回、開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４８】
【図１】この発明の実施の形態１による液晶ディスプレイ用バックライト装置の要部を示す図である。
【図２】図１に示した液晶ディスプレイ用バックライト装置の構成を示すブロック図である。
【図３】図２に示した制御部の構成を示すブロック図である。
【図４】図１に示した液晶ディスプレイ用バックライト装置の動作を示すタイムチャート図である。
【図５】この発明の実施の形態２による液晶ディスプレイ用バックライト装置の制御部の構成を示すブロック図である。
【図６】図５に示したＰＷＭ値計算部の動作を示すフローチャートである。
【図７】図５で説明した液晶ディスプレイ用バックライト装置の動作を示すタイムチャート図である。
【図８】この発明の実施の形態３による液晶ディスプレイ用バックライト装置の動作を示すタイムチャートである。
【図９】従来の液晶ディスプレイ用バックライト装置の動作を示すタイムチャートである。
【図１０】従来の他の液晶ディスプレイ用バックライト装置の動作を示すタイムチャートである。
【符号の説明】
【００４９】
１  液晶ディスプレイ用バックライト装置、２  ＬＥＤ光源、３  赤色ＬＥＤ、４  緑色ＬＥＤ、５  青色ＬＥＤ、６  センサ部、７〜９  センサ、１０，４０  制御部、１１  ドライバ部、１２〜１４  ドライバ、２１〜２３  メモリ部、２４〜２６  差動部、２７〜２９  ゲイン部、３０〜３２  積分部、３３〜３５，４１  ＰＷＭ値計算部。
【図１】
2008191248.tif 000003
【図２】
2008191248.tif 000004
【図３】
2008191248.tif 000005
【図４】
2008191248.tif 000006
【図５】
2008191248.tif 000007
【図６】
2008191248.tif 000008
【図７】
2008191248.tif 000009
【図８】
2008191248.tif 000010
【図９】
2008191248.tif 000011
【図１０】
2008191248.tif 000012